(57)【要約】      （修正有）【課題】インクタンク保持部を本体背面に設置する場合、万一インク漏れなどが発生した場合、コントロール基板にあたえる損害が大きいため直下を避け、コントロール基板の設置位置を奥まったところにしなくてはならない。この時の拡張基板の脱着の作業性を改善する。【解決手段】装置本体に装着時に電気的に結合する手段を有する着脱可能な拡張基板３４の着脱口３５と、前記拡張基板を保持し、かつ、前記装置本体に着脱の際、前記着脱口と係合し、着脱口内部でガイドする拡張基板ガイド部材３６とを備えた画像形成装置において、前記拡張基板の着脱口まで拡張基板を誘導するガイド３７を有することで、脱着の作業性を改善する。【選択図】図４
2006264202.tif 000002
【特許請求の範囲】
【請求項１】
装置本体に装着時に電気的に結合する手段を有する着脱可能な拡張基板の着脱口と、前記拡張基板を保持し、かつ、前記装置本体に着脱の際、前記着脱口と係合し、着脱口内部でガイドする拡張基板ガイド部材とを備えた画像形成装置において、前記拡張基板の着脱口まで拡張基板を誘導するガイドを有することを特徴とする画像形成装置。
【請求項２】
前記拡張基板を着脱口まで誘導するガイドを着脱口の外装カバーの周辺部材に設けることを特徴とする請求項１に記載の画像形成装置。
【請求項３】
前記ガイドには着脱口まで誘導するガイド溝を有することを特徴とする請求項１，２に記載の画像形成装置
【請求項４】
前記拡張基板を着脱口まで誘導するためのガイド形状を形成し、前記ガイド形状をインクタンク保持部に備えていることを特徴とする請求項１に記載の画像形成装置。
【発明の詳細な説明】
【技術分野】
【０００１】
本発明は、プリンタ等、画像形成装置の拡張基板の着脱機構に関するものである。
【背景技術】
【０００２】
コンピュータやワークステーションの出力装置として、インクを吐出して記録媒体に画像を形成するインクジェット方式画像形成装置が知られている。このインクジェット方式画像形成装置はキャリッジを所定方向に往復走査させながら、キャリッジと対向する方向に搬送される記録媒体に画像を形成する。
【０００３】
このような画像形成装置にはコントローラ基板（制御基板）が備えられており、このコントローラ基板には拡張できるようにコントロール基板に拡張用スロットが設けてあり、ユーザー使用状況にあったシステム構成に拡張できるようにして対応しているのが一般的である。
【０００４】
拡張する際は、装置本体に配置されたコントローラ基板に拡張基板を、コントロール基板の拡張用スロット対して開けられている脱着口から差し込み、コントロール基板上に設けられた拡張基板ガイド部材に沿って脱着する。このような脱着機構は従来から基板を拡張するために設けられている（特開平７−１５１５４参照）。
【０００５】
従来、コントロール基板は本体外周面に拡張基板の脱着口が設置されており、容易に拡張基板を脱着させることが出来る。しかし、本体構成上どうしてもコントロール基板の設置位置を奥まったところにしなくてはならない場合がある。
【０００６】
近年、本体サイズは小型化、軽量化が進んでいる。しかし、本体サイズ縮小に反して、インクタンクの容量は大きくなる方向にあるため必然的にインクタンク保持部も大きくなり、インクタンクを設置する位置は、本体全長を短縮するためには本体後方に配置となる。
【０００７】
【特許文献１】特開平７−１５１５４
【発明の開示】
【発明が解決しようとする課題】
【０００８】
インクタンク保持部を本体背面に設置する場合、万一インク漏れなどが発生した場合、コントロール基板にあたえる損害が大きいため直下を避け、Ｅ部（図２参照）などコントロール基板の設置位置を奥まったところにしなくてはならない。この時拡張基板の脱着口は見えずらくなり、拡張基板の脱着の作業性が悪くなってしまう。
【課題を解決するための手段】
【０００９】
本発明は、このような問題を解決するために、装置本体に装着時に電気的に結合する手段を有する着脱可能な拡張基板の着脱口と、前記拡張基板を保持し、かつ、前記装置本体に着脱の際、前記着脱口と係合し、着脱口内部でガイドする拡張基板ガイド部材とを備えた画像形成装置において、前記拡張基板の着脱口まで拡張基板を誘導するガイドを有することを特徴とする。
【００１０】
また、本発明は、前記拡張基板を着脱口まで誘導するガイドを着脱口の外装カバーの周辺部材に設けることを特徴とする請求項１に記載の画像形成装置。
【００１１】
また、本発明は、前記ガイドには着脱口まで誘導するガイド溝を有することを特徴とする請求項１、２に記載の画像形成装置。
【００１２】
また、本発明は、前記拡張基板を着脱口まで誘導するためのガイド形状を形成し、前記ガイド形状をインクタンク保持部に備えていることを特徴とする請求項１に記載の画像形成装置。
【発明の効果】
【００１３】
以上、説明したように、装置本体の後面にインクタンク保持部と、装置本体の後面奥まった位置に拡張基板の脱着口がある場合、脱着口まで拡張基板を誘導するガイドを有することにより、コントロール基板を拡張するために拡張基板を脱着する際、その作業性を容易に行うことが可能となる。
【発明を実施するための最良の形態】
【００１４】
以下、本発明の実施例を図面に基づいて、詳細に説明する。
【実施例１】
【００１５】
インクジェット方式画像形成装置は記録ヘッドを搭載しているキャリッジを所定方向に走査させ、キャリッジと対向する方向に搬送される記録媒体に画像を形成する。
画像形成装置には制御のためのコントロール基板が備えられており、ユーザーの使用状況に合わせて、コントロール基板上に拡張基板を追加できる構成となっている。
【００１６】
図１はプロッタ本体１０を後方から見た斜視図、本体１０後方にはインクタンクを保持するインクタンク保持部３１が左端に設けられており、図中のＥ部には拡張基板が挿入し設置できる脱着口が備えられている。
【００１７】
図２は図１のＥ部の詳細図で、拡張基板３４は本体後面のインクタンク保持部３１直下を避け、奥まった位置に設置されているが、見えにくく、脱着が容易にできない位置となっている。
【００１８】
図３はＥ部において拡張基板３４を取り外した状態の詳細図で、脱着口３５の内部には拡張基板３４をガイドする拡張基板ガイドレール３６がコントロール基板上に設置されている。
【００１９】
図４は本発明の一実施形態を示す詳細図で、拡張基板３４の脱着口３５に隣接する外装カバー３３には拡張基板ガイドレール３６の延長線上に脱着口３５から外部へ延びるようにガイド部が備えられ、該ガイド部にはガイド溝３７が設けられている。
【００２０】
このガイド溝３７が設けられることにより、コントローラ基板を拡張するために拡張基板３４を脱着するとき、拡張基板３４の脱着口３５が奥まった位置で覗き込まなくては挿入操作が容易に行われない場合でも、外装カバー３３に設けたガイド溝３７に沿って拡張基板３４を挿入することができ、容易に着脱することが可能となる。
【実施例２】
【００２１】
図５はインクタンク保持部３１の形状にガイドの機能を持たしたものを示しており、インクタンク保持部が拡張基板の脱着口まで誘導できるガイド形状を備え、拡張基板３４をインクタンク保持部３１のガイド形状の部分に沿って誘導しながら脱着口に挿入することができ、容易に着脱することが可能となる。
【図面の簡単な説明】
【００２２】
【図１】プロッタ後方の斜視図である。
【図２】図１における拡張基板装着時のＥ部の拡大図である。
【図３】図２における拡張基板装着前のＥ部の詳細図である。
【図４】本発明による一実施形態を示す図２におけるＥ部に価する詳細図である。
【図５】拡張基板装着時におけるインクタンク保持部のガイド形状機能の詳細図
【符号の説明】
【００２３】
１０  プロッタ
３１  インクタンク保持部
３２  スタンド
３３  外装カバー
３４  拡張基板
３５  脱着口
３６  拡張基板ガイドレール
３７  ガイド溝
【図１】
2006264202.tif 000003
【図２】
2006264202.tif 000004
【図３】
2006264202.tif 000005
【図４】
2006264202.tif 000006
【図５】
2006264202.tif 000007